(57)【要約】【課題】特有の非印刷領域を有する特殊テープに対して、その非印刷領域に適合した印刷画像の印刷が可能なテープ印刷装置を提供する。【解決手段】所定の非印刷領域を有するテープを含む種々のテープに印刷画像を印刷するテープ印刷装置であって、テープ印刷装置に装着されるテープの種類を検出するテープ検出手段と、キーボードにより入力される基礎画像データを記憶する基礎画像記憶手段とテープに対応した非印刷領域を示すマスクデータを記憶するマスクデータ記憶手段と、テープ検出手段が所定の非印刷領域を有するテープを検出すると、非印刷領域以外に基礎画像データを印刷する印刷部と、基礎画像データが印刷可能領域に印刷されるように、基礎画像データを編集する編集手段と、を備えた。【選択図】図８
2010221714.tif 000002
【特許請求の範囲】
【請求項１】
所定の非印刷領域を有するテープを含む種々のテープに印刷画像を印刷するテープ印刷装置であって、
キーボードと、
前記テープ印刷装置に装着されるテープの種類を検出するテープ検出手段と、
前記キーボードにより入力される基礎画像データを記憶する基礎画像記憶手段と、
前記テープに対応した前記所定の非印刷領域を示すマスクデータを記憶するマスクデータ記憶手段と、
前記テープ検出手段が前記所定の非印刷領域を有する前記テープを検出すると、前記所定の非印刷領域以外に前記基礎画像データを印刷する印刷部と、
前記テープに対応する前記所定の非印刷領域とともに印刷可能領域を表示する表示画面と、
前記基礎画像データが前記所定の非印刷領域ではなく前記印刷可能領域に印刷されるように、前記基礎画像データを編集する編集手段と、を備えたことを特徴とするテープ印刷装置。
【請求項２】
前記マスクデータを選択するマスク画像選択手段を、さらに備えていることを特徴とする、請求項１に記載のテープ印刷装置。
【請求項３】
所定の非印刷領域を有するテープを含む種々のテープに印刷画像を印刷するテープ印刷装置の印刷方法であって、
テープ印刷装置に装着されるテープの種類を検出する工程と、
キーボードにより入力される基礎画像データを記憶する工程と、
前記テープに対応する前記所定の非印刷領域を示すマスクデータを提供する工程と、
前記所定の非印刷領域を有する前記テープが検出されると、前記所定の非印刷領域以外に前記基礎画像データを印刷する工程と、
前記テープに対応する前記所定の非印刷領域とともに印刷可能領域を表示画面に表示する工程と、
前記基礎画像データが前記所定の非印刷領域ではなく前記印刷可能領域に印刷されるように、前記基礎画像データを編集する工程と、を備えているテープ印刷装置の印刷方法。
【請求項４】
前記マスクデータを選択する工程を、さらに備えていることを特徴とする、請求項３に記載のテープ印刷装置の印刷方法。
【請求項５】
請求項３に記載のテープ印刷装置の印刷方法をコンピュータに実行させるコンピュータプログラムがコード化されたコンピュータ読み取り可能な記憶媒体。
【発明の詳細な説明】
【技術分野】
【０００１】
本発明は、印刷画像データに基づく印刷画像をテープに印刷するテープ印刷装置、テープ印刷装置の印刷方法および記憶媒体に関する。
【背景技術】
【０００２】
テープ印刷装置において、テープの幅方向両端まで完全に印刷するには、印刷ヘッドによる印刷幅をテープ幅以上とする必要があるが、テープ幅と完全一致させるのは種々の誤差要因により事実上不可能であり、かといって、テープ幅を超えた印刷では、はみ出した部分の印刷によりプラテン等を痛めたり各部に汚れ等を生じさせて印刷品質の低下を誘発する可能性がある。このため、全てのテープに共通する非印刷領域として、テープ幅を超えた印刷を回避するための余白部分（超幅印刷回避領域）を幅方向両端部に設け、それに合わせた印刷上の工夫を行っているテープ印刷装置も、知られている（例えば特許文献１参照）。
【先行技術文献】
【特許文献】
【０００３】
【特許文献１】特開２０００−３４１４９６号公報
【発明の開示】
【発明が解決しようとする課題】
【０００４】
ところで、上述の全てのテープに共通する非印刷領域以外に、特有の非印刷領域が規定された特殊テープが開発されている。例えば折り目となる切込みや破線状のスリット（いわゆるミシン目）が、テープ幅方向の中心線上に長手方向に延在する特殊テープがあり（図６〜図７参照）、この種の特殊テープに対して、折り目のある中心線上に印刷画像を印刷することは、その中心線に沿って熱による撓みやインクの滲み等を発生させる要因となるので、好ましくなく、中心線を含んで長手方向に帯状の非印刷領域を定めることが望ましい。
【０００５】
しかしながら、従来のテープ印刷装置では、複雑なマニュアル操作に頼る以外、この種の個別のテープに特有の非印刷領域に対応する印刷処理はできなかった。特に、セパレートタイプのテープ印刷装置である印刷システムでは、供給装置とテープ印刷装置とが離れて（別の部屋等に）置かれている場合もあり、そのような場合、テープ印刷装置側で装着されたテープカートリッジ等を視認できないので、その種類（特に特殊テープか否か）を、供給装置側で把握しにくいこともある。
【０００６】
本発明は、特有の非印刷領域を有するテープに対して、その非印刷領域に適合した印刷画像の印刷が可能なテープ印刷装置、テープ印刷装置の印刷方法および記憶媒体を提供することを目的とする。
【課題を解決するための手段】
【０００７】
本発明のテープ印刷装置において、所定の非印刷領域を有するテープを含む種々のテープに印刷画像を印刷するテープ印刷装置であって、キーボードと、テープ印刷装置に装着されるテープの種類を検出するテープ検出手段と、キーボードにより入力される基礎画像データを記憶する基礎画像記憶手段と、テープに対応した所定の非印刷領域を示すマスクデータを記憶するマスクデータ記憶手段と、テープ検出手段が所定の非印刷領域を有するテープを検出すると、所定の非印刷領域以外に基礎画像データを印刷する印刷部と、テープに対応する所定の非印刷領域とともに印刷可能領域を表示する表示画面と、基礎画像データが所定の非印刷領域ではなく印刷可能領域に印刷されるように、基礎画像データを編集する編集手段と、を備えていることを特徴とする。
【０００８】
上述のテープ印刷装置は、マスクデータを選択するマスク画像選択手段を、さらに備えていることが好ましい。
【０００９】
本発明のテープ印刷装置の印刷方法は、所定の非印刷領域を有するテープを含む種々のテープに印刷画像を印刷するテープ印刷装置の印刷方法であって、テープ印刷装置に装着されるテープの種類を検出する工程と、キーボードにより入力される基礎画像データを記憶する工程と、テープに対応した所定の非印刷領域を示すマスクデータを提供する工程と、所定の非印刷領域を有するテープが検出されると、所定の非印刷領域以外に基礎画像データを印刷する工程と、テープに対応する所定の非印刷領域とともに印刷可能領域を表示画面に表示する工程と、基礎画像データが所定の非印刷領域ではなく印刷可能領域に印刷されるように、基礎画像データを編集する工程と、を備えていることを特徴とする。
【００１０】
上述のテープ印刷装置の印刷方法において、マスクデータを選択する工程を、さらに含んでいることが好ましい。
【００１１】
本発明の記憶媒体は、上記に記載のテープ印刷装置の印刷方法をコンピュータに実行させるコンピュータプログラムがコード化されたコンピュータ読み取り可能な記憶媒体である。
【図面の簡単な説明】
【００１２】
【図１】本発明の一実施形態に係るテープ印刷装置の外観斜視図である。
【図２】図１のテープ印刷装置の、蓋を開けた状態の斜視図である。
【図３】図１のテープ印刷装置の制御系を示す概略ブロック図である。
【図４】テープ印刷装置の制御全体の概略処理を示すフローチャートである。
【図５】印刷をするときの一例を示す表示画面およびその表示画面上での典型的な操作の説明図、並びに、その印刷による印刷結果の一例を示す説明図である。
【図６】標準テープおよび特殊テープの構造の例を示す説明図である。
【図７】図６に対応する、印刷結果の一例を示す説明図である。
【図８】基礎画像、マスク画像およびそれらの論理積演算により作成・印刷された結果の印刷画像・ラベルの一例を示す説明図である。
【図９】別の一例を示す、図８と同様の説明図である。
【図１０】さらに別の一例を示す、図８と同様の説明図である。
【図１１】さらに別の一例を示す、図８と同様の説明図である。
【図１２】２行構成の場合の基礎画像の例を示す説明図である。
【図１３】図１２に対応して図１１（ｂ）のマスク画像との論理積演算により作成・印刷された結果の印刷画像・ラベルの例を示す説明図である。
【図１４】図１３（ｃ）の例に対応して、基礎画像の各行を縮小して印刷領域内に印刷した結果の印刷画像・ラベルの例を示す説明図である。
【図１５】論理積演算を利用せず、印刷ヘッドの駆動制御により図１３（ｃ）と同等の結果を得る例を示す説明図である。
【図１６】第２実施形態に係る印刷システムの第１の構成例を示す説明図である。
【図１７】第２の構成例を示す、図１６と同様の説明図である。
【図１８】図１６および図１７の第１および第２の構成例におけるテープ印刷装置の制御系を示す概略ブロック図である。
【図１９】第３の構成例を示す、図１６と同様の説明図である。
【図２０】図１９の第３の構成例についての、図１８と同様の説明図である。
【図２１】他の特殊テープの構造およびその利用形態の例を示す説明図である。
【図２２】図２１の例に対応するラベルおよびマスク画像（印刷領域および非印刷領域）の設定例を示す説明図である。
【図２３】さらに別のラベルおよびマスク画像（印刷領域および非印刷領域）の設定の一例を示す説明図である。
【発明を実施するための形態】
【００１３】
以下、本発明の一実施形態（第１実施形態）に係るテープ印刷装置について、添付図面を参照しながら詳細に説明する。
【００１４】
図１および図２に示すように、このテープ印刷装置１は、装置ケース（装置本体）２により外殻が形成され、装置ケース２の前部上面には各種入力キーから成るキーボード３を備えている。また、後部上面には、その左部に開閉蓋２１が取り付けられ、その右部にはディスプレイ４が配設されている。また、装置ケース２の左側部には、ポケット（テープ装着部）６と装置外部とを連通するスリット状のテープ排出口２２が形成され、テープ排出口２２には、送りだした印刷用テープ（以下単に「テープ」）Ｔを切断するテープカッタ１３２が臨んでいる。
【００１５】
また、図３に示すように、制御系から見た基本的な構成として、キーボード３やディスプレイ４を有してユーザとのインタフェースを行う操作部１１と、印刷ヘッド（サーマルヘッド）７やテープ送り部１２０を有してポケット６内に装着したテープカートリッジＣのテープＴに印刷を行う印刷部１２と、印刷後のテープＴの切断を行う切断部１３と、各種センサを有して各種検出を行う検出部１４と、各種ドライバを有して各部回路を駆動する駆動部１５と、テープ印刷装置１内の各部を制御する制御部２０と、を備えている。このため、装置ケース２の内部には、印刷部１２、切断部１３、検出部１４などの他、図外の回路基板が収納されている。この回路基板には、電源ユニットの他、駆動部１５や制御部２０の各回路などが搭載され、ＡＣアダプタ接続口２９や外部から着脱可能なニッカド電池等の電池（図示省略）に接続されている。
【００１６】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００１７】
図２および図３に示すように、印刷部１２には、開閉蓋２１の内側に、テープカートリッジＣを装着するためのポケット６が設けられていて、テープカートリッジＣはこの開閉蓋２１を開放した状態でポケット６に対して着脱される。また、テープカートリッジＣの裏面には、相異なる幅等のテープＴの種別を識別できるように小さな複数の孔（図示せず）が設けられ、ポケット６には、この孔の有無を検出するマイクロスイッチなどのテープ識別センサ１４１が設けられていて、テープＴの有無（正確にはテープカートリッジＣが装着されているか否か）およびテープＴの種別（正確にはテープカートリッジＣの種別）を検出できるようになっている。
【００１８】
テープカートリッジＣには、カートリッジケース５１の内部に一定の幅（４．５ｍｍ〜４８ｍｍ程度）のテープＴとインクリボンＲとが収容されており、印刷ヘッド７が臨む貫通開口５５が形成されている。テープＴは、裏面に粘着面が形成され、それが剥離紙によって覆われた構成になっている。また、テープＴとインクリボンＲとが重なる部分には、ヘッドユニット６１に内蔵された印刷ヘッド７に対応して、プラテンローラ（プラテン）５６が収納されている。テープカートリッジＣが装着された状態で、印刷ヘッド７が貫通開口５５から露出しているインクリボンＲの裏面に当たり、発熱駆動されて所望の文字などがテープＴの表面に印刷される。
【００１９】
テープ送り部１２０は、ポケット６の側方から下方に亘る空間に配設され、動力（駆動）源として送りモータ１２１を備えている。テープカートリッジＣがポケット６に装着され、その状態で開閉蓋２１が閉塞されると、送りモータ１２１を駆動源として、テープリール５２からテープＴが繰り出され、リボン繰出リール５３からインクリボンＲが繰り出され、貫通開口５５の位置で印刷ヘッド７がテープＴとインクリボンＲとを挟み込んでプラテン５６に当接して、テープＴとインクリボンＲが相互に重なり合った状態で走行し、同期して印刷ヘッド７が駆動されて印刷が行われる。その後、インクリボンＲが内部でテープ巻取リール５４に巻き取られるとともに、テープＴのみがテープカートリッジＣの外部に排出され、プラテン５６の回転（リボン巻取リール５４も同期回転する）が所定時間続行することで、テープＴのテープ送りが続行され、テープ排出口２２を介して装置外部に送り出され、テープＴ上の所定の切断位置がテープカッタ１３２の位置まで送られる。
【００２０】
切断部１３は、テープカッタ１３２と、これを切断動作させるカッタモータ１３１と、を備えている。また、モード設定によって、自動／手動を切替可能であり、任意長印刷などの場合には手動（マニュアル）のカットキーの操作で、定長印刷などの場合には自動（オート）で、カッタモータ１３１を駆動する。検出部１４は、前述のテープ識別センサ１４２を備える他、装置内各部に各種のセンサ等を備えている。駆動部１５は、ディスプレイドライバ１５１と、ヘッドドライバ１５２と、モータドライバ１５３と、を備えている。ディスプレイドライバ１５１は、制御部２０から出力される制御信号に基づき、その指示にしたがって、操作部１１のディスプレイ４を駆動する。同様に、ヘッドドライバ１５２は、印刷部１２の印刷ヘッド７を駆動し、モータドライバ１５３は、印刷部１２の送りモータ１２１や切断部１３のカッタモータ１３１などの各モータを駆動する。
【００２１】
操作部１１は、キーボード３とディスプレイ４とを備えている。ディスプレイ４は、横方向（Ｘ方向）約６cm×縦方向（Ｙ方向）４cmの長方形の形状の内側に、９６ドット×６４ドットの表示画像データを表示可能な表示画面４１と、各種設定状況等を表示する１８個のインジケータ（図示省略）とを有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００２２】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列されている。
【００２３】
機能キー群３２には、電源キー、印刷動作を指示するための印刷キー、テキスト入力時のデータ確定や改行および選択画面における各種モードの選択指示のための選択キー、各種操作を取り消すための取消キー、各種処理を中止したり確定後の文字等を必要に応じて削除する削除キー、前述した手動カットのためのカットキー、並びに、それぞれ上下左右の方向へのカーソル移動や表示画面４１の表示範囲を移動させるための４個のカーソルキーなどが含まれる。なお、これらは、各キー入力毎に個別にキーを設けて入力しても良いし、シフトキー等と組み合わせてより少ない数のキーを用いて入力しても良い。キーボード３は、これらの各種キーにより種々の指令およびデータを制御部２０に入力する。
【００２４】
制御部２０は、ＣＰＵ２１０、ＲＯＭ２２０、ＲＡＭ２３０、周辺制御回路（Ｐ−ＣＯＮ）２４０を備え、互いに内部バス２５０により接続されている。ＲＯＭ２２０は、ＣＰＵ２１０で処理する制御プログラムを記憶する制御プログラム領域２２１の他、装置内で用意している文字等（数字、記号、図形等を含む）のフォントデータや色変換テーブルや文字修飾テーブルなどを記憶する制御データ領域２２２を有している。ＲＡＭ２３０は、電源オフ時のバックアップがされていて、各種フラグ・レジスタ群２３１、テキストデータ領域２３２、表示画像データ領域２３３、印刷画像データ領域２３４、描画登録画像データ領域２３５、外字登録画像データ領域２３６、文字展開バッファ、印刷バッファなどの各種バッファ領域２３７などの領域を有し、各種処理の作業領域として使用される。
【００２５】
Ｐ−ＣＯＮ２４０には、ＣＰＵ２１０の機能を補うとともに周辺回路とのインタフェース信号を取り扱うための論理回路や種々の計時を行うタイマ等の機能回路などが、ゲートアレイやカスタムＬＳＩなどにより構成されて組み込まれている。このため、Ｐ−ＣＯＮ２４０は、検出部１４の各種センサやキーボード３と接続され、各種検出信号や各種指令や入力データなどをそのままあるいは加工して内部バス２５０に取り込むとともに、ＣＰＵ２１０と連動して、ＣＰＵ２１０等から内部バス２５０に出力されたデータや制御信号を、そのままあるいは加工して駆動部１５に出力する。
【００２６】
そして、ＣＰＵ２１０は、上記の構成により、ＲＯＭ２２０内の制御プログラムに従って、Ｐ−ＣＯＮ２４０を介して各種検出信号、各種指令、各種データ等を入力し、ＲＯＭ２２０やＲＡＭ２３０内の各種データ等を処理し、Ｐ−ＣＯＮ２４０を介して駆動部１５に制御信号を出力することにより、印刷の位置制御や表示画面４１の表示制御等を行うとともに、印刷ヘッド７を制御して所定の印刷条件でテープＴに印刷するなど、テープ印刷装置１全体を制御している。
【００２７】
次に、テープ印刷装置１の制御全体の処理フローについて、図４を参照して説明する。電源キーを押すこと（電源オン）により処理が開始すると、同図に示すように、まず、前回の電源オフ時の状態に戻すために、退避していた各制御フラグを復旧するなどの初期設定を行い（Ｓ１）、次に、前回の表示画面を初期画面として表示する（Ｓ２）。
【００２８】
同図のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力その他による割込を許可し、何らかの割込が発生するまでは、そのままの状態を維持し（Ｓ３：Ｎｏ）、何らかの割込が発生すると（Ｓ３：Ｙｅｓ）、それぞれの割込処理に移行して（Ｓ４）、その割込処理が終了すると、再度、その状態を維持する（Ｓ３：Ｎｏ）。
【００２９】
上述のように、テープ印刷装置１では、主な処理を割込処理により行うので、印刷画像作成などの準備ができていれば、ユーザが任意の時点で印刷キーを押すことにより、印刷処理割込が発生して、印刷処理が起動され、印刷画像データに基づいて印刷画像の印刷ができる。すなわち、印刷に至るまでの操作手順は、ユーザが任意に選択できる。
【００３０】
例えば図５に示すように、カーソルＫまでの１行目の文字（キャラクタ）列「ＡＢＣＤＥ」を入力後のテキスト編集画面表示の状態で（画面Ｄ１０：以下、表示画面４１の状態を画面Ｄｘｘとし、Ｄｘｘのみで説明および図示する。）、ユーザにより印刷キーが押されると、「印刷中」のメッセージの表示とともに（Ｄ１１）、文字列「ＡＢＣＤＥ」の文字列画像をテープ幅ＴＷのテープＴに印刷画像Ｇ００として印刷し、（定長設定あるいは任意長設定によるラベル長さＬＷ等の）設定に応じてカットしてラベルＬ００を作成し（同図（ｂ）参照）、印刷が終了すると、元のテキスト編集画面に戻る（Ｄ１２：Ｄ１０と同じ）。なお、テープ印刷装置１では、ユーザは、キー入力による各種指示を取消キーにより取り消すことができ、例えば上述の状態（Ｄ１１）から取消キーを押すことにより、元のテキスト編集画面の表示状態（Ｄ１０）に戻すことができる。
【００３１】
ところで、テープ印刷装置１では、全てのテープに共通する以外の特有の非印刷領域を有する特殊テープに対して、その非印刷領域に適合した印刷画像の印刷が可能になっているので、以下、この点について説明する。
【００３２】
まず、図６（ａ）に示すように、一般的なテープＴ（以下、適宜「標準テープ」という。：後述の「特殊テープ」と区別する場合等に使用。）は、剥離テープＴａと基材テープＴｂとを積層して成るものであり、基材テープＴｂは、印刷面となる表面（印刷対象面）側の受像層Ｔｃと、その裏面（粘着面）側に設けられた粘着層Ｔｄとで構成されている。印刷（〜ラベル作成）終了後、基材テープＴｂから剥離テープＴａを分離することで粘着層Ｔｄが露出し、この粘着層Ｔｄを介して貼着対象物に貼り付けて使用される。
【００３３】
そして、以下で説明する特殊テープＴｓのタイプ１のテープＴｓ１では、同図（ｂ）に示すように、折り目となる線（以下「折り線」）Ｓｃ１として、テープ幅方向の中心線に沿って（中心線上に）上述の受像層Ｔｃの厚みの約半分の深さまで（＝基材テープＴｂの表面近傍（表層部）のみ）の切込み（薄層カット）が、長手方向に延在するように形成されている。また、特殊テープＴｓのタイプ２のテープＴｓ２では、同図（ｃ）に示すように、折り線Ｓｃ２として、テープ幅方向の中心線に沿って（中心線上に）上述の受像層Ｔｃ分の深さの（長手方向にカット部と非カット部が交互に存在する）破線状のスリット（いわゆるミシン目）が、長手方向に延在するように形成されている。
【００３４】
ここで、仮に非印刷領域の違いがないものとして、各テープに前述の文字列「ＡＢＣＤＥ」の印刷画像Ｇ００を印刷してラベルを作成すると、図７に示すようになる。すなわち、標準テープＴの場合、同図（ａ）に示すように、前述のラベルＬ００（図５（ｂ）参照）を作成できるのに対して、特殊テープＴｓ１の場合、同図（ｂ）に示すように折り線Ｓｃ１のあるラベルＬｃ０１を、特殊テープＴｓ２の場合、同図（ｃ）に示すように折り線Ｓｃ２のあるラベルＬｃ０２を、それぞれ作成できる。
【００３５】
以下、これら２タイプの特殊テープＴｓ１、Ｔｓ２およびそれらによるラベルＬｓ０１、Ｌｓ０２等を、図６（ｄ）および図７（ｄ）のように示す。すなわち、テープ幅ＴＷの両端から同じ幅ＴＨ＝ＴＷ／２ずつの中心線上に、折り線Ｓｃが形成された特殊テープＴｓおよびそれによるラベルＬｃ０等として、図示および説明する。
【００３６】
ここで、上述の種の特殊テープＴｓに対して、折り線（中心線）Ｓｃ上に印刷画像Ｇ００等を印刷することは、その折り線Ｓｃに沿って熱による撓みやインクの滲み等を発生させる要因となるので、好ましくなく、折り線Ｓｃ近傍を非印刷領域とすることが望ましい。
【００３７】
このため、テープ印刷装置１では、装着されたテープＴの種別をテープ識別センサ１４１により検出し、特殊テープＴｓのときには、例えば図８に示すように、元になる印刷画像（基礎画像）Ｇ００の画像データ（基礎画像データ）、すなわちそのまま印刷すれば印刷画像Ｇ００が印刷できる基礎画像データ、に対応して、非印刷領域（の画像データ：非印刷領域画像データ）をマスクするマスク画像ＭＳ０のマスク画像データＭＳ０を用意する。
【００３８】
なお、以下、説明の簡単化のため、適宜、基礎画像およびその画像データである基礎画像データを区別なく「基礎画像」（例えば基礎画像Ｇ００等）と表現し、同様にマスク画像およびその画像データであるマスク画像データを区別なく「マスク画像」（例えばマスク画像ＭＳ０等）と表現し、印刷画像およびその画像データである印刷画像データを区別なく「印刷画像」（例えば印刷画像ＧＳ０等）と表現する。また、ここでは、特殊テープＴｓの非印刷領域情報として、マスク画像（データ）ＭＳ０を予め用意（記憶）しておくものとするが、仕様情報のみを非印刷領域情報として記憶しておいて特殊テープＴｓを検出した時点でマスク画像（データ）ＭＳ０を作成することもできる。
【００３９】
ここで、同図（ａ）に図示の基礎画像Ｇ００を、印刷する画素（例えば黒で図示のＡＢＣＤＥの各文字の部分）に相当するドットを論理的に正の正ドットとし、他の部分（各文字の背景等の白で図示の部分）を論理的に負の負ドットとしたドットマトリクスから成る画像（データ）とすると、同図（ｂ）のマスク画像ＭＳ０は、非印刷領域（画像データ）ＮＡ０を構成するドットを負ドットとし、印刷領域（画像データ）ＥＳ０を正ドットとするドットマトリクスから成る画像（データ）である。このため、これらの間で、対応するドット同士の論理積演算（すなわち正ドット同士の部分のみを正ドットとし、他は負ドットとする論理演算）を行うことにより、同図（ｃ）に示すように、基礎画像（データ）Ｇ００のうちの非印刷領域（画像データ）ＮＡ０をマスクした印刷画像（データ）ＧＳ０を容易に作成できる。
【００４０】
また、同図の例は、特有の非印刷領域ＮＡ０として幅方向の中心線Ｎ上に長手方向に延在する帯状の中心部非印刷領域（縦断非印刷領域、中心部非印刷領域：この例では＝非印刷領域）を有する特殊テープＴｓの例であり、より具体的には、中心線Ｎの図示上側の微少幅ＤＵの（上側）非印刷領域ＮＵおよび図示下側の微少幅ＤＬの（下側）非印刷領域ＮＬから成る中心部非印刷領域（＝非印刷領域）ＮＡ０（すなわちＮＡ０＝ＮＵ＋ＮＬ）と、それより図示上側の印刷領域（上側印刷領域）ＥＵ０および図示下側の印刷領域（下側印刷領域）ＥＬ０から成る印刷領域（データ）ＥＳ０（すなわちＥＳ０＝ＥＵ０＋ＥＬ０）と、を有する特殊テープＴｓの例であるが、その非印刷領域ＮＡ０に相当する部分をマスクした印刷画像（データ）ＧＳ０を作成・印刷できるので、この種の特殊テープＴｓに対して、その非印刷領域ＮＡ０に適合した印刷画像ＧＳ０の印刷ができる。
【００４１】
また、上述の例の特殊テープＴｓは、中心部非印刷領域（特有の非印刷領域）ＮＡ０に幅方向の中心線Ｎに従った折り目を示す折り線Ｓｃを有するものであるが、テープ印刷装置１では、その折り線Ｓｃの近傍を非印刷領域ＮＡ０として、その部分をマスクした印刷画像（データ）ＧＳ０を作成・印刷でき、その中心線Ｎ（折り線Ｓｃ）に沿って発生する熱による撓みやインクの滲み等を防止できる。
【００４２】
また、この場合の特殊テープＴｓも、標準テープＴと同様に、表面を印刷面（受像層）Ｔｃとし且つ裏面に粘着面（粘着層）Ｔｄが形成された基材テープＴｂと、その粘着面Ｔｄを覆う剥離テープＴａと、を有し、その一方で、折り線Ｓｃが基材テープＴｂの厚みの全部または一部のカットを有しているので（図６〜図７参照）、印刷後には、折り線Ｓｃが有するカットの分だけ、折り線Ｓｃ（すなわち中心線Ｎ）に沿って折りやすいものとなり、熱による撓みやインクの滲み等を防止できるのに加えて、折りやすさ等を維持・確保できる。
【００４３】
上述のように、本実施形態のテープ印刷装置１では、特殊テープＴｓが装着されたことを検出でき、検出されたときに、基礎画像（データ）Ｇ００等のうちの非印刷領域（画像データ）ＮＡ０等をマスクして、印刷画像（データ）ＧＳ０等を作成できるので、全てのテープＴに共通する以外の特有の非印刷領域ＮＡ０等を有する特殊テープＴｓに対して、その非印刷領域ＮＡ０等に適合した印刷画像ＧＳ０等の印刷ができる。
【００４４】
なお、上述の例では、特有の非印刷領域として、中心線Ｎ（折り線Ｓｃ）近傍の非印刷領域ＮＡ０（＝ＮＵ＋ＮＬ）のみを有したが、特殊テープＴｓの長手方向に所定長さで且つ幅方向の全幅を横断する横断非印刷領域を有するように（規定）しても良い。
【００４５】
この場合、例えば図９に示すように、定長設定時の印刷長さ（＝ラベル作成時のラベル長＝テープ長手方向のラベル幅）ＬＷが設定されているとき、テープＴの素材（材質）等によっては、ラベルＬＳ１としての所持や剥離テープＴａの剥離等のために、前端部や後端部を非印刷領域（余白）として確保したい場合があり、この種の特殊テープＴｓの場合、上述同様の中心部非印刷領域ＮＡ０の他に、有効印刷長さＥＬの印刷領域ＥＳ１（＝上側印刷領域ＥＵ１＋下側印刷領域ＥＬ１）を挟んで、長さＮＦの前端部や長さＮＦの後端部を、（前端）非印刷領域ＮＡＦ（＝上側前端非印刷領域ＮＵＦ＋下側前端非印刷領域ＮＬＦ）や（後端）非印刷領域ＮＡＲ（＝上側後端非印刷領域ＮＵＲ＋下側後端非印刷領域ＮＬＲ）のように規定しても良い。
【００４６】
この場合、非印刷領域ＮＡ１（＝ＮＡ０＋ＮＡＦ＋ＮＡＲ）と、印刷領域ＥＳ１（＝ＥＵ１＋ＥＬ１）と、が規定された特殊テープＴｓ、すなわち非印刷領域ＮＡ１を有する特殊テープＴｓとなるが、同図（ｂ）に示すように、この場合の非印刷領域（画像データ）ＮＡ１の部分を負ドットとし、印刷領域（画像データ）ＥＳ１の部分を正ドットとするマスク画像（データ）ＭＳ１を用意し、同図（ａ）の基礎画像（データ）Ｇ００との間で論理積演算を行うことにより、同図（ｃ）に示すように、基礎画像（データ）Ｇ００のうちの非印刷領域（画像データ）ＮＡ１をマスクした印刷画像（データ）ＧＳ１を容易に作成・印刷できる。
【００４７】
すなわち、特有の非印刷領域ＮＡ１として長手方向に所定長さで且つ幅方向の全幅を横断する横断非印刷領域（ＮＡＦ＋ＮＡ０の一部またはＮＡＲ＋ＮＡ０の一部）を有するこの種の特殊テープＴｓに対しても、その非印刷領域ＮＡ１に適合した印刷画像ＧＳ１の印刷ができる。
【００４８】
また、従来と同様のテープ幅を超えた印刷を回避するための余白部分（超幅印刷回避領域）をテープ幅方向両端部の非印刷領域として有するように（規定）しても良い。この種の特殊テープＴｓの場合、例えば図１０に示すように、上述同様の中心部非印刷領域ＮＡ０の他に、上側印刷領域ＥＵ１や下側印刷領域ＥＬ１を挟んで、微少幅ＤＵの（上側端部）非印刷領域ＮＵｅおよび微少幅ＤＬの（下側端部）非印刷領域ＮＬｅから成る端部非印刷領域ＮＥのように規定できる。
【００４９】
この場合、非印刷領域ＮＡ２（＝ＮＡ０＋ＮＥ）と印刷領域ＥＳ２（＝ＥＵ２＋ＥＬ２）とが規定され、非印刷領域ＮＡ２を有する特殊テープＴｓとなるが、同図（ｂ）に示すように、非印刷領域（画像データ）ＮＡ２の部分を負ドットとするマスク画像（データ）ＭＳ２を用意して論理積演算を行うことにより、同図（ｃ）に示すように、基礎画像（データ）Ｇ００のうちの非印刷領域（画像データ）ＮＡ２をマスクした印刷画像（データ）ＧＳ２を容易に作成・印刷できる。
【００５０】
また、図１０で上述の例にさらに非印刷領域として図９で前述の例と同様の前端非印刷領域ＮＡＦ（＝上側前端非印刷領域ＮＵＦ＋下側前端非印刷領域ＮＬＦ）や後端非印刷領域ＮＡＲ（＝上側後端非印刷領域ＮＵＲ＋下側後端非印刷領域ＮＬＲ）を付加するように（規定）しても良い。
【００５１】
この場合、例えば図１１に示すように、非印刷領域ＮＡ３（＝ＮＡ０＋ＮＥ＋ＮＡＦ＋ＮＡＲ）と印刷領域ＥＳ３（＝ＥＵ３＋ＥＬ３）とが規定され、特有の非印刷領域ＮＡ３を有する特殊テープＴｓとなるが、同図（ｂ）に示すように、マスク画像（データ）ＭＳ３を用意して論理積演算を行うことにより、同図（ｃ）に示すように、基礎画像（データ）Ｇ００のうちの非印刷領域（画像データ）ＮＡ３をマスクした印刷画像（データ）ＧＳ３を容易に作成・印刷できる。
【００５２】
なお、上述の各例は、１行の文字列「ＡＢＣＤＥ」の基礎画像Ｇ００を元にしたが、基礎画像としては、例えば図１２（ａ）〜（ｃ）のそれぞれに示すように、１行目「ＡＢＣＤＥ」および２行目「ＦＧＨＩＪ」の２行の文字列の基礎画像（データ）Ｇ４０や、同じ「ＡＢＣＤＥ」の縦書きを２行並べた基礎画像（データ）Ｇ５０や、同じ「ＡＢＣＤＥ」の横書きの行を（１８０度回転させて）向かい合わせて並べた基礎画像（データ）Ｇ６０などを利用することもできる。
【００５３】
これらの場合、例えば図１１で上述の特有の非印刷領域ＮＡ３を有する特殊テープＴｓとすれば、上述のマスク画像（データ）ＭＳ３を用意して論理積演算を行うことにより、図１３（ａ）〜（ｃ）のそれぞれに示すように、基礎画像（データ）Ｇ４０、Ｇ５０、Ｇ６０のうちの非印刷領域（画像データ）ＮＡ４、ＮＡ５、ＮＡ６（＝ＮＡ３）をマスクした印刷画像（データ）ＧＳ４、ＧＳ５、ＧＳ６を容易に作成・印刷できる。
【００５４】
なお、これらの場合、非印刷領域に合わせて基礎画像を変形して印刷画像とすることもできる。例えば図１４に示すように、特殊テープＴｓに対応して用意された図１１（ｂ）のマスク画像（データ）ＭＳ３の印刷領域ＥＳ３（＝ＥＵ３＋ＥＬ３）に合うように、言い換えると非印刷領域ＮＡ７（＝ＮＡ３）としてマスクされて文字列の一部が欠けないように、図１２（ｃ）の基礎画像Ｇ６０の各行の文字列の画像を縮小（変形）して印刷画像（データ）ＧＳ７として作成・印刷することもできる。
【００５５】
また、上述の各例では、マスク画像（データ）を利用して論理積演算によって印刷画像（データ）を作成・印刷したが、例えば図１３（ｃ）と同様の印刷画像ＧＳ６を印刷したい場合、例えば図１５に示すように、印刷ヘッド７の印刷用のドット（発熱素子列の各発熱素子）のうちの、上述のマスク画像（データ）ＭＳ３の印刷領域ＥＳ３（＝ＥＵ３＋ＥＬ３）の印刷幅ＥＵ、ＥＬに相当する（領域７Ｕ、７Ｌの）発熱素子のみを駆動し、図１１（ｂ）の前端非印刷領域ＮＡＦや後端非印刷領域ＮＡＲについては駆動（印刷）しないタイミングを設ける（駆動するタイミングを制御する）ことにより、図１３（ｃ）と同様の印刷結果を得ることもできる。
【００５６】
また、上述の各例では、特有の非印刷領域を有する特定の特殊テープＴｓを検出した場合について、その非印刷領域に適合する印刷画像の印刷を行うものとしたが、特有の非印刷領域を有するテープＴの種類が複数（多数）ある場合、特殊テープＴｓを検出するというより、装着されたテープＴの種類を検出して、その種類に対応する非印刷領域に適合する印刷画像を印刷する必要がある。これに対し、前述のように、テープ印刷装置１では、装着されたテープＴの種別を検出できるので、このような場合にも対応できる。
【００５７】
すなわち、テープ印刷装置１では、テープＴの種類に対応して複数の相異なる非印刷領域が規定された複数種類のテープＴに対して、装着されたテープＴの種類を検出でき、基礎画像（データ）のうちの検出された種類に応じた非印刷領域（画像データ）をマスクして、印刷画像（データ）を作成・印刷できるので、非印刷領域が異なる複数種類の各テープＴに対して（すなわち特有の非印刷領域を有する特殊テープＴｓに対しても）、それぞれの非印刷領域に適合した印刷画像の印刷ができる。
【００５８】
そして、上述した各種処理方法（印刷画像の作成方法等のデータ処理方法、印刷方法、ラベル作成方法など）は、プログラム処理可能な各種のテープ印刷装置によって処理されるプログラムとして適用でき、その種のプログラムを記憶するための例えばＣＤ、ＭＤ、ＤＶＤ等の記憶媒体にも適用でき、この種のプログラムを記憶しておいて、あるいは記憶媒体等から読み出して、実行することにより、非印刷領域が異なる複数種類の各テープに対して（すなわち特有の非印刷領域を有する特殊テープに対しても）、それぞれの非印刷領域に適合した印刷画像の印刷ができる。もちろん、その他、要旨を逸脱しない範囲で、適宜変更も可能である。
【００５９】
なお、上述の実施形態（第１実施形態）では、単体（スタンドアロン）のテープ印刷装置を例示したが、印刷画像の画像データ（印刷画像データ）を用意して供給するための供給装置に所定の通信手段を介して同様のテープ印刷装置を接続した構成（システム）を、１つのテープ印刷装置と見ることもできる。以下、このタイプ（セパレートタイプ）のテープ印刷装置（単体のものと区別して以下「印刷システム」という。）を、第２実施形態として説明する。
【００６０】
図１６および図１７に示すように、まず、本実施形態のテープ印刷装置１（区別する際には第１実施形態のものを１Ａ、第２実施形態のものを１Ｂとする）は、データサーバ（供給装置）ＤＳとインタフェースＩＦを介して接続され、全体として印刷システムＳＹＳを構成している。データサーバＤＳは、テープ印刷装置１（１Ｂ）に対して、印刷対象の印刷画像データを供給するものである。
【００６１】
このため、データサーバＤＳは、例えば図１６に示すように、ネットワークＮＷを中心に、端末となる複数のワークステーションＷＳ（パソコンＰＣ等）１〜３やターミナルアダプタ（ルータ、リピータ、ハブ等を含む）ＴＡ等を接続して構成し、これらの端末のいずれかからインタフェースＩＦを介して、あるいはネットワークＮＷから直接のインタフェースＩＦとして、テープ印刷装置１を接続しても良い。この場合のネットワークＮＷとしては、ＩＥＥＥ標準ＬＡＮ準拠の通信プロトコルに従ったもの、例えばいわゆるインターネットや各種のローカルエリアネットワーク（ＬＡＮ：イーサネット（登録商標）、１０／１００ベース（Base）等）が採用できる。また、端末を介するインタフェースＩＦとしては、シリアルデータ通信（ＲＳ−２３２Ｃ、ＵＳＢ、ＩＥＥＥ１３９４等）でも、パラレルデータ通信（セントロニクス等）でも良い。なお、これらは有線通信の規格であるが、無線通信を利用することも可能である。
【００６２】
あるいは、より単純な構成として、データサーバＤＳを、スタンドアロンタイプの装置としても良い。例えば図１７に示すように、スタンドアロンのパソコンＰＣとテープ印刷装置１（１Ｂ）とを、ＵＳＢ等のインタフェースＩＦで接続するだけで、印刷システムＳＹＳを構成できる。なお、図１６の構成（第１の構成）では、データサーバＤＳ内の各装置（ＷＳ１〜３、ＴＡ等）に用意（記憶）された印刷画像データを（ダウンロード等により）供給して印刷する構成となり、図１７の構成（第２の構成）では、例えばパソコンＰＣ（データサーバＤＳ）に記憶された印刷画像データを供給して印刷する構成となる。
【００６３】
以下では、比較的単純な図１７の第２の構成の印刷システムＳＹＳについて、主に説明する。ここで、テープ印刷装置１（１Ｂ）は、図１８に示すように、ＵＳＢ仕様（プロトコル）に基づいて（ＵＳＢケーブルによる）インタフェースＩＦからＵＳＢコネクタ２５を介してデータサーバＤＳとの通信を行うデータ供給インタフェース（ＤＳ−ＩＦ）１６を、第１実施形態のテープ印刷装置１（１Ａ）と同様の構成（図３参照）に、付加した構成になっている。
【００６４】
ＤＳ−ＩＦ１６は、データサーバＤＳからの各種データ（印刷画像データ等）を受信するための受信バッファ１６１を有している。また、Ｐ−ＣＯＮ２４０は、図３で前述の検出部１４からの各種検出信号やキーボード３からの各種指令や入力データなどの他、ＤＳ−ＩＦ１６と接続され、データサーバＤＳからの制御信号や各種（ダウンロード）データなどを、そのままあるいは加工して内部バス２６０に取り込むとともに、ＣＰＵ２１０と連動して、ＣＰＵ２１０等から内部バス２６０に出力されたデータや制御信号を、そのままあるいは加工して前述の駆動部１５やＤＳ−ＩＦ１６に出力する。
【００６５】
そして、例えば図１７の第２の構成のデータサーバＤＳにおいて、長手方向印刷の場合、図５で前述の文字列「ＡＢＣＤＥ」のテキスト編集画面（Ｄ１０）と同様のテキスト編集画面を表示したり、あるいは印刷画像Ｇ００をイメージ画面表示等として表示している状態で、ユーザにより所定の印刷指示（印刷キーの押下等）が行われると、データサーバＤＳでは、「印刷中」のメッセージ表示等とともに、文字列「ＡＢＣＤＥ」の印刷画像Ｇ００の印刷画像データと、所要のカットの種類およびタイミング（ここでは図５（ｂ）のテープ送り方向の後端に対してカット）を指示するカット指示データ（カット指示信号）と、をインタフェースＩＦを介して送信する。
【００６６】
これに対して、テープ印刷装置１（１Ｂ）では、ＤＳ−ＩＦ１６によって印刷画像Ｇ００の印刷画像データおよびカット指示信号を受信しながら、その印刷画像Ｇ００を印刷し、後端カットによりラベルＬ００を作成する。
【００６７】
そして、この印刷システムＳＹＳにおいても、前述（第１実施形態）のスタンドアロンのテープ印刷装置１（１Ａ）と同様に、例えば図８等で前述の特有の非印刷領域ＮＡ０等を有する特殊テープＴｓに対して、その非印刷領域ＮＡ０等に適合した印刷画像ＧＳ０等の印刷が可能になっていて、熱による撓みやインクの滲み等を防止できる（図９〜図１３等の例についても同じ）。
【００６８】
すなわち、テープ印刷装置１（１Ｂ）では、前述のテープ識別センサ１４１によって、テープ幅を含むテープＴの種別を検出できるので、その検出結果をデータサーバＤＳにインタフェースＩＦを介して報告する。これに対し、データサーバＤＳでは、マスク画像（データ）ＭＳ０等を予め用意（記憶）しておいて、基礎画像（データ）Ｇ００等との論理積演算により印刷画像（データ）ＧＳ０等を作成して、テープ印刷装置１に供給する。
【００６９】
そして、この場合、上述の報告の情報の形態は、装着されたテープＴの種類（より具体的にはテープカートリッジＣの種類）に基づいてテープ印刷装置１において特殊テープＴｓか否かまで分析（判別）してから報告しても良いし、テープＴやテープカートリッジＣの種類の情報のまま報告し、データサーバＤＳ側で分析しても良い。また、報告のタイミングは、テープ印刷装置１において新たなテープカートリッジＣを装着する毎に報告し、データサーバＤＳ側でその情報を保持しておいても良いし、データサーバＤＳ側で必要になった時点でテープ印刷装置１に対して要求し、その時点で報告するようにしても良い。
【００７０】
上述のように、本実施形態の印刷システムＳＹＳでは、テープ印刷装置１において特殊テープＴｓが装着されたことを検出してデータサーバ（供給装置）ＤＳに報告でき、データサーバＤＳでは、特殊テープＴｓの装着が報告されたときに、基礎画像（データ）Ｇ００等のうちの非印刷領域（画像データ）ＮＡ０等をマスクして、変形画像（データ）を作成し、それを印刷画像（データ）ＧＳ０等としてテープ印刷装置１に供給し、テープ印刷装置１では、その印刷画像（データに基づく印刷画像）ＧＳ０等を印刷できるので、全てのテープＴに共通する以外の特有の非印刷領域ＮＡ０等を有する特殊テープＴｓに対して、その非印刷領域ＮＡ０等に適合した印刷画像ＧＳ０等の印刷ができる。
【００７１】
なお、本実施形態の印刷システムＳＹＳにおいても、仕様上、マスク画像（データ）ＭＳ０の仕様情報のみを記憶しておいて、特殊テープＴｓを検出した時点でマスク画像（データ）ＭＳ０を作成することもできる。また、データサーバＤＳ側からは元の印刷画像である基礎画像（データ）Ｇ００等をそのままテープ印刷装置１に対して供給し、テープ印刷装置１側において、マスク画像（データ）ＭＳ０等を用意し、供給された基礎画像（データ）Ｇ００等との論理積演算により、印刷画像（データ）ＧＳ０等を作成・印刷することもできる。
【００７２】
また、基礎画像（データ）Ｇ００等を作成するための画像作成用データ（テキストデータや要素画像データ等）を、そのまま、データサーバＤＳからインタフェースＩＦを介してテープ印刷装置１に送信し、テープ印刷装置１側で基礎画像（データ）Ｇ００等の作成〜印刷画像（データ）ＧＳ０等の作成〜ラベル作成を実行するように、規定しても良い。また、上述の画像作成用データの形態で送信するか、基礎画像（データ）Ｇ００等の形態で送信するか、印刷画像ＧＳ０等の形態で送信するか、などを選択できるようにしても良い。
【００７３】
また、前述（第１実施形態）のスタンドアロンのテープ印刷装置１（１Ａ）と同様に、例えば非印刷領域ＮＡ７（＝ＮＡ３：図１４参照）に画像の一部が重ならない（すなわち画像が欠けない）ように、基礎画像（データ）Ｇ６０（図１２参照）に対する縮小等の変形が可能な場合には、その種の変形を行う仕様としても良い。また、同様に、例えば、論理積演算等によって基礎画像Ｇ６０（図１２参照）から印刷画像ＧＳ６（図１３参照）を作成するのでなく、基礎画像（データ）Ｇ６０と非印刷領域ＮＡ６（＝ＮＡ３）の情報等に基づいて、印刷ヘッド７を制御して、印刷結果として印刷画像ＧＳ６を得ることもできる（図１５参照）。
【００７４】
また、同様に、特定の特殊テープＴｓばかりでなく、特有の非印刷領域を有するテープＴの種類が複数（多数）ある場合、装着されたテープＴの種類を検出・報告して、その種類に応じた印刷画像（データ）を作成・印刷することもでき、これにより、非印刷領域が異なる複数種類の各テープに対して（すなわち特有の非印刷領域を有する特殊テープに対しても）、それぞれの非印刷領域に適合した印刷画像の印刷ができる。
【００７５】
また、上述の例では、データサーバＤＳに基礎画像（データ）Ｇ００等やマスク画像（データ）ＭＳ０等を用意（記憶）するものとしたが、この場合、データサーバＤＳにおいて、その基礎画像（データ）Ｇ００等やマスク画像（データ）ＭＳ０等を作成しても良いし、図１７に示すように、外部からコンパクトディスク（ＣＤ、ＣＤ−ＲＯＭ）５０１等により既に作成済みの基礎画像（データ）Ｇ００等やマスク画像（データ）ＭＳ０等として供給することもでき、この場合、ＣＤ−ＲＯＭ５０１を入れ替えるだけで種々の基礎画像（データ）Ｇ００等やマスク画像（データ）ＭＳ０等を用意でき、あるいは目的等に合わせて変更できる。
【００７６】
また、各種処理を行うための制御プログラム（処理プログラム：専用のアプリケーションプログラム）についても、データサーバＤＳ内に元から準備（記憶）しておいても良いし、基礎画像（データ）Ｇ００等やマスク画像（データ）ＭＳ０等を含むファイル等とともにあるいは単独でＣＤ−ＲＯＭ５０１内に記憶しておき、それを（ダウンロード等してから）起動できるようにしても良い。また、この場合、一般的なオペレーションシステム（ＯＳ）で実行可能なアプリケーションにしておけば、そのＯＳを有するパソコン等にＣＤ−ＲＯＭ５０１を装着するだけで、利用できる。
【００７７】
なお、上述の例では、ＣＤ−ＲＯＭを例に挙げたが、ＦＤ、ＭＯ、ＤＶＤ等、その他の記憶媒体を利用しても良い。また、図１７の構成でなく、図１６のようにネットワークＮＷを利用する場合には、そのネットワークＮＷを介してあるいはテープ印刷装置１の直接接続の装置（供給装置：図示の例ではＰＣ１またはＴＡ）を介して、そのネットワークＮＷに接続された各種の他の装置（図示の例ではＷＳ２やＷＳ３等）から各種ファイルや各種プログラムを受信できるので、各種の装置から受信するだけで、新たな各種の基礎画像（データ）Ｇ００等やマスク画像（データ）ＭＳ０等を含むファイルやプログラムを記憶（用意）したり、変更したりすることができる。また、これらの場合、データサーバＤＳ側のプログラムには、その一部をテープ印刷装置１側にダウンロードして利用可能なテープ印刷装置１側のプログラムを含ませることもできる。
【００７８】
また、上述の（第２）実施形態では、キーボード３やディスプレイ４等を有する操作部１１を備えたテープ印刷装置１（１Ｂ）を例示したが、全てまたは殆どの動作をデータサーバＤＳからの指示に従って行うような場合、テープ印刷装置側に操作部１１等を要しないので、それらの機能を省略した構成とすることもできる。
【００７９】
例えば第３実施形態の印刷システムＳＹＳとして、上述のテープ印刷装置１Ｂ（図１７および図１８参照）と同様のテープ印刷装置ではあっても、図１９および図２０に示すテープ印刷装置１（前述のものと区別して、１Ｃ）のように、操作部１１等を省略した構成を採用することもできる。
【００８０】
そして、上述（第２、第３実施形態）の印刷システムＳＹＳの各種処理方法（印刷画像の作成方法等のデータ処理方法、印刷方法、ラベル作成方法など）は、プログラム処理可能な各種印刷システムによって処理されるプログラムとしても適用でき、その種のプログラムを記憶するための上述の各種の記憶媒体等にも適用でき、この種のプログラムを記憶しておいて、あるいは記憶媒体等から読み出して、あるいはネットワークを介してダウンロード等して、実行することにより、セパレートタイプであっても、非印刷領域が異なる複数種類の各テープに対して（すなわち特有の非印刷領域を有する特殊テープに対しても）、それぞれの非印刷領域に適合した印刷画像の印刷ができる。もちろん、その他、要旨を逸脱しない範囲で、適宜変更も可能である。
【００８１】
そこで、上述の（第１〜第３）実施形態に対する各種バリエーションを、以下に補足して説明しておく。
【００８２】
最初に、単体（スタンドアロン）のテープ印刷装置１の実施形態（第１実施形態）に対する各種バリエーションを説明する。
【００８３】
まず、前述の各例では、特殊テープＴｓの装着を検出したり、装着されたテープＴの種類を検出したが、すなわちいわば自動検出をしたが、装着されたテープＴを見てユーザが手動（マニュアル）で設定できるようにしても良い。
【００８４】
例えば特殊テープＴｓの装着を設定する場合、設定されたときに、基礎画像（データ）Ｇ００等のうちの特殊テープＴｓ特有の非印刷領域（画像データ）ＮＡ０等をマスクして、印刷画像（データ）ＧＳ０等を作成できるので、非印刷領域ＮＡ０等を有する特殊テープＴｓに対して、その非印刷領域ＮＡ０等に適合した印刷画像の印刷ができる。
【００８５】
同様に、それぞれに特有の非印刷領域を有する複数種類のいずれかのテープＴを装着し、その種類を設定した場合、設定されたときに、基礎画像（データ）のうちの設定された種類に応じた非印刷領域（画像データ）をマスクして、印刷画像（データ）を作成・印刷できるので、非印刷領域が異なる複数種類の各テープＴに対して（すなわち特有の非印刷領域を有する特殊テープＴｓに対しても）、それぞれの非印刷領域に適合した印刷画像の印刷ができる。
【００８６】
なお、上述の各例における基礎画像（データ）Ｇ００等は、図５で前述のテキスト編集画面Ｄ１０等においてテキストデータの状態で編集され、印刷指示によって画像展開された後、図８で前述のマスク画像（データ）ＭＳ０等によってマスクされたが、例えば図９〜図１１のマスク画像（データ）ＭＳ１〜ＭＳ３等のように、非印刷領域ＮＡ１〜ＮＡ３等が比較的複雑な形状の場合、その形状を画像のイメージで意識しながら、基礎画像（データ）の編集ができると便利である。
【００８７】
このため、非印刷領域等を認識可能な（比較的大きな）サイズの表示画面を確保できる場合、すなわちそのような表示画面を備えたテープ印刷装置１では、イメージ画面上で基礎画像（データ）の編集をできるようにしても良い。
【００８８】
例えば特殊テープＴｓの装着を検出または設定する場合、特殊テープＴｓの外形（印刷可能領域）および非印刷領域ＮＡ１〜ＮＡ３等（以下代表して「非印刷領域ＮＡ３等」：図１１（ｂ）参照）のイメージを表示画面に表示し、その表示画面のテープＴの外形内で印刷画像（例えば図１３の印刷画像ＧＳ６等）の元になる基礎画像（例えば図１２の基礎画像Ｇ０６等）を編集できるので、特殊テープＴｓの非印刷領域ＮＡ６（＝ＮＡ３）を意識しながら、印刷画像ＧＳ６等の元になる基礎画像Ｇ０６等を容易に作成できる。
【００８９】
同様に、それぞれに特有の非印刷領域を有する複数種類のいずれかのテープＴを装着し、その種類を検出または設定する場合、装着されたテープＴの（表示される幅等が種類により異なる）形状および非印刷領域ＮＡ３等のイメージを表示画面に表示し、その表示画面のテープＴの外形内で印刷画像ＧＳ６等の元になる基礎画像Ｇ０６等を編集できるので、テープＴの種類に対応する非印刷領域ＮＡ３等を意識しながら、印刷画像ＧＳ６等の元になる基礎画像Ｇ０６等を容易に作成できる。
【００９０】
また、上述のように、比較的大きな表示画面を確保できる場合、イメージ画面上で基礎画像（データ）ばかりでなく（あるいは基礎画像データに代えて）、直接、印刷画像（データ）の編集をできるようにしても良い。
【００９１】
例えば特殊テープＴｓの装着を検出または設定する場合、特殊テープＴｓの外形および非印刷領域ＮＡ３等のイメージを表示画面に表示し、その表示画面のテープ外形内で且つ印刷領域（非印刷領域を除く領域）ＥＳ３等内に収まるように、印刷画像を編集できるので、特殊テープＴｓの非印刷領域ＮＡ３等を意識して、例えば図１４で前述のように、その非印刷領域ＮＡ７（＝ＮＡ３）等にはみ出さないように、印刷画像（データ）ＧＳ７等を容易に作成・印刷できる。
【００９２】
複数種類のいずれかのテープＴを装着してその種類を検出または設定する場合も同様に、テープＴの形状および非印刷領域ＮＡ３等のイメージを表示画面に表示し、その表示画面のテープＴの外形内で且つ印刷領域ＥＳ３等内に収まるように、印刷画像を編集できるので、装着された各種のテープＴの非印刷領域ＮＡ３等を意識して、その非印刷領域ＮＡ３等にはみ出さないように、印刷画像（データ）ＧＳ７等を容易に作成・印刷できる。
【００９３】
なお、さらに検討すると、上述の各例では、特殊テープＴｓにしても他のテープＴにしても、各テープＴの種類と非印刷領域が対応しているものとしたが、テープＴの種類と直接的には対応しない非印刷領域を設定できるようにしても良い。この場合、装着するテープＴの種類に拘わらずに（テープＴの種類とは関連なく）、相互に異なる複数種類の非印刷領域（例えば非印刷領域ＮＡ０〜ＮＡ３等）を示す非印刷領域情報（マスク画像データＭＳ０〜ＭＳ３等あるいは非印刷領域データＮＡ０〜ＮＡ３等あるいはこれらの仕様情報の形式でも良い。）を記憶しておく。
【００９４】
この場合、前述同様、印刷画像（データ）ＧＳ６等の元になる基礎画像（データ）Ｇ６０等（図１２（ｃ）参照）を記憶しておき、非印刷領域のいずれか（例えばＮＡ３等）を選択するとともに、それに基づいて基礎画像（データ）Ｇ６０等をマスクして、印刷画像（データ）ＧＳ６等を作成・印刷できるので、各種のテープＴ（すなわち特有の非印刷領域を有する特殊テープＴｓも含む）に対して、各種の非印刷領域ＮＡ０〜ＮＡ３等を設定して、それぞれの非印刷領域ＮＡ３等に適合した印刷画像ＧＳ６等の印刷ができる。
【００９５】
また、この場合も、比較的大きな表示画面を確保できる場合、前述同様に、テープＴの種別を検出または設定により決定し、そのテープＴの外形および非印刷領域ＮＡ６（＝ＮＡ３）等のイメージを表示画面に表示し、その表示画面のテープＴの外形内で、印刷画像（データ）ＧＳ６等の元になる基礎画像（データ）Ｇ６０等を編集できるので、テープＴの種類と適用（設定）する非印刷領域ＮＡ３等を意識しながら、印刷画像ＧＳ６等の元になる基礎画像Ｇ０６等を容易に作成できる。
【００９６】
また、さらにこの場合も、比較的大きな表示画面を利用して、直接、印刷画像（データ）の編集をできるようにしても良い。すなわち、相互に異なる複数種類の非印刷領域（例えば非印刷領域ＮＡ０〜ＮＡ３等）を示す非印刷領域情報を記憶しておき、非印刷領域のいずれか（例えばＮＡ３等）を選択するとともに、装着されたテープＴの種別を検出または設定により決定し、そのテープＴの外形および非印刷領域ＮＡ７（＝ＮＡ３）等のイメージを表示画面に表示し、その表示画面のテープＴの外形内で且つ印刷領域（非印刷領域を除く領域）ＥＳ３等内に収まるように、印刷画像を編集できるので、テープＴの種類と適用（設定）する非印刷領域ＮＡ３等を意識して、例えば図１４で前述のように、その非印刷領域ＮＡ７（＝ＮＡ３）等にはみ出さないように、印刷画像（データ）ＧＳ７等を容易に作成・印刷できる。
【００９７】
そして、もちろん、上述した各種処理方法も、プログラム処理可能な各種のテープ印刷装置によって処理されるプログラムとして適用でき、その種のプログラムを記憶するための各種の記憶媒体にも適用でき、この種のプログラムを記憶しておいて、あるいは記憶媒体等から読み出して、実行することにより、装着した各種のテープ（特殊テープも含む）や設定した各種の非印刷領域に適合した印刷画像の印刷ができる。もちろん、その他、要旨を逸脱しない範囲で、適宜変更も可能である。
【００９８】
次に、セパレートタイプのテープ印刷装置である印刷システムの実施形態（第２、第３実施形態）に対する各種バリエーションを説明する。
【００９９】
まず、このセパレートタイプの印刷システムＳＹＳの場合も、前述では、特殊テープＴｓの装着、あるいは装着されたテープＴの種類を自動検出としたが、装着されたテープＴを見てユーザが手動（マニュアル）で設定できるようにしても良い。ただし、この場合、テープＴの種類は、データサーバ（供給装置）ＤＳ側で設定することもできるし、テープ印刷装置１（１Ｂ、１Ｃ：以下略）側で設定することもできる。
【０１００】
データサーバＤＳにおいて、例えば装着された（はずの）テープＴが特殊テープＴｓであることをキー操作や画面操作等によって設定する場合、前述と同様に、特殊テープＴｓの非印刷領域ＮＡ３等を示す非印刷領域情報に基づいて、基礎画像（データ）Ｇ６０等をマスクして、変形画像データを作成し、それを印刷画像データとしてテープ印刷装置１に供給し、テープ印刷装置１では、その印刷画像データに基づく印刷画像ＧＳ６等を印刷できるので、特有の非印刷領域ＮＡ３等を有する特殊テープＴｓに対して、その非印刷領域ＮＡ３等に適合した印刷画像ＧＳ６等の印刷ができる。
【０１０１】
なお、この場合、設定したテープＴの種類は、必ずしもテープ印刷装置１に実際に装着されたテープの種類と合っていなくても良い。例えば設定に適合する種類のテープＴを実際にテープ印刷装置１に装着する前に（例えば所望のテープＴがその時にすぐに入手できなくても）、設定したテープＴの種類に合わせて、データサーバＤＳにおける各種処理（例えば印刷画像の元になる基礎画像の編集など）を、（例えばテープＴの入手までの間に）仮に進めることができる。
【０１０２】
また、この場合、テープ印刷装置１では、前述のように、テープ識別センサ１４１によってテープＴの種類を検出して、データサーバＤＳに対して報告可能なので、データサーバＤＳでは、特殊テープＴｓの装着が設定されたときに、検出されたテープＴの種類が特殊テープＴｓであること、すなわち設定結果と検出結果とが一致するか否かを検査でき、一致しないときにはその旨を把握できる。
【０１０３】
同様に、テープ印刷装置１において、それぞれに特有の非印刷領域を有する複数種類のいずれかのテープＴを装着し、データサーバＤＳでは、それらのうちの任意の種類を設定する場合、基礎画像（データ）Ｇ６０等の設定された種類に応じた非印刷領域（画像データ）ＮＡ３等をマスクして、変形画像データを印刷画像データとしてテープ印刷装置１に供給して、印刷画像ＧＳ６等を印刷できるので、非印刷領域が異なる複数種類の各テープＴに対して（すなわち特有の非印刷領域を有する特殊テープＴｓに対しても）、それぞれの非印刷領域ＮＡ３等に適合した印刷画像ＧＳ６等の印刷ができる。
【０１０４】
そして、この場合も、テープ印刷装置１のテープ識別センサ１４１によってテープＴの種類を検出して報告可能なので、データサーバＤＳでは、設定結果と検出結果とが一致するか否かを検査でき、一致しないときにはその旨を把握できる。
【０１０５】
また、テープ印刷装置１側で、テープＴの種別の検出ばかりでなく、（実際に装着されたテープＴの種類に拘わらず、）特殊テープＴｓ等の装着（装着されたものとする）を設定できるようにし、それをデータサーバＤＳに報告できるようにすることもできる。
【０１０６】
この場合も、データサーバＤＳでは、特殊テープＴｓの非印刷領域ＮＡ３等を示す非印刷領域情報に基づいて、基礎画像（データ）Ｇ６０等のマスク〜変形画像データ作成〜テープ印刷装置１への供給を行い、テープ印刷装置１では、その印刷画像（データ）ＧＳ６等を印刷できるので、特有の非印刷領域ＮＡ３等を有する特殊テープＴｓに対して、その非印刷領域ＮＡ３等に適合した印刷画像ＧＳ６等の印刷ができる。
【０１０７】
また、この場合も、前述同様、実際のテープＴの種類と異なっても良く、テープＴの種類が異なっても、例えば設定に適合する種類のテープＴを装着（入手）する前であっても、設定し報告したテープＴの種類に合わせて、データサーバＤＳにおける各種処理を、仮に進めることができる。
【０１０８】
同様に、テープ印刷装置１において、それぞれに特有の非印刷領域を有する複数種類のいずれかのテープＴの種類を設定し、それをデータサーバＤＳに報告できるようにしても良い。データサーバＤＳでは、同様に、基礎画像（データ）Ｇ６０等のマスク〜テープ印刷装置１への供給を行い、テープ印刷装置１では、その印刷画像（データ）ＧＳ６等を印刷できるので、非印刷領域が異なる複数種類の各テープＴに対して（すなわち特有の非印刷領域を有する特殊テープＴｓに対しても）、それぞれの非印刷領域ＮＡ３等に適合した印刷画像ＧＳ６等の印刷ができる。設定し報告したテープＴと実際のテープＴの種類が異なる場合についても、上述と同様である。
【０１０９】
なお、前述のように、例えば図９〜図１１のマスク画像（データ）ＭＳ１〜ＭＳ３等のように、非印刷領域ＮＡ１〜ＮＡ３等が比較的複雑な形状の場合、その形状を画像のイメージで意識しながら、基礎画像（データ）の編集ができると便利である。そして、セパレートタイプの印刷システムＳＹＳにおいては、データサーバＤＳの表示画面としてパソコンＰＣ等の表示画面を利用できるので、前述の単体のテープ印刷装置１（１Ａ）の場合より大きなサイズの表示画面を確保しやすい（図１６、図１７、図１９等参照）。すなわち、そのような表示画面を備えた印刷システムＳＹＳでは、イメージ画面上で基礎画像（データ）の編集等が比較的容易にできる。
【０１１０】
例えば特殊テープＴｓの装着を検出または設定する場合、テープ印刷装置１において、特殊テープＴｓを装着するが、データサーバＤＳにおいて、特殊テープＴｓの外形および非印刷領域ＮＡ３等のイメージを表示画面に表示し、その表示画面のテープＴの外形内で印刷画像ＧＳ６等の元になる基礎画像Ｇ０６等を編集できるので、特殊テープＴｓの非印刷領域ＮＡ６（＝ＮＡ３）を意識しながら、印刷画像ＧＳ６等の元になる基礎画像Ｇ０６等を容易に作成できる。
【０１１１】
同様に、テープ印刷装置１において、それぞれに特有の非印刷領域を有する複数種類のいずれかのテープＴを装着し、その種類を検出または設定する場合、あるいはデータサーバＤＳにおいてその種類を設定する場合、データサーバＤＳにおいて、テープＴの（表示される幅等が種類により異なる）形状および非印刷領域ＮＡ３等のイメージを表示画面に表示し、その表示画面のテープＴの外形内で印刷画像ＧＳ６等の元になる基礎画像Ｇ０６等を編集できるので、テープＴの種類に対応する非印刷領域ＮＡ３等を意識しながら、印刷画像ＧＳ６等の元になる基礎画像Ｇ０６等を容易に作成できる。
【０１１２】
また、上述のように、比較的大きな表示画面を確保できる印刷システムＳＹＳでは、イメージ画面上で基礎画像（データ）ばかりでなく（あるいは基礎画像データに代えて）、直接、印刷画像（データ）の編集をできるようにしても良い。
【０１１３】
例えば特殊テープＴｓの装着を検出または設定する場合、データサーバＤＳにおいて、特殊テープＴｓの外形および非印刷領域ＮＡ３等のイメージを表示画面に表示し、その表示画面のテープ外形内で且つ印刷領域（非印刷領域を除く領域）ＥＳ３等内に収まるように、印刷画像の元になる基礎画像を編集して変形画像データとして作成できるので、特殊テープＴｓの非印刷領域ＮＡ３等を意識して、例えば図１４で前述の非印刷領域ＮＡ７（＝ＮＡ３）等にはみ出さないように、基礎画像を編集でき、それを印刷画像（データ）ＧＳ７等としてテープ印刷装置１に供給して、特殊テープＴｓの非印刷領域ＮＡ７等にはみ出さない印刷画像ＧＳ７等を容易に作成・印刷できる。
【０１１４】
複数種類のいずれかのテープＴを装着してその種類を検出または設定する場合も同様に、データサーバＤＳにおいて、テープＴの形状および非印刷領域ＮＡ３等のイメージを表示画面に表示し、その表示画面のテープＴの外形内で且つ印刷領域ＥＳ３等内に収まるように、印刷画像の元になる基礎画像を編集して変形画像データとして作成できるので、各種のテープＴの非印刷領域ＮＡ３等を意識して、その非印刷領域ＮＡ３等にはみ出さないように、基礎画像を編集でき、印刷画像（データ）ＧＳ７等としてテープ印刷装置１に供給して、印刷できる。
【０１１５】
また、印刷システムＳＹＳにおいても、テープＴの種類と直接的には対応しない非印刷領域を設定できるようにすることもでき、この場合、テープ印刷装置１において装着するテープＴの種類に拘わらずに（テープＴの種類とは関連なく）、データサーバＤＳ内に、相互に異なる複数種類の非印刷領域（ＮＡ０〜ＮＡ３等）を示す非印刷領域情報（ＭＳ０〜ＭＳ３等、ＮＡ０〜ＮＡ３等またはこれらの仕様情報の形式でも良い。）を記憶しておく。
【０１１６】
この場合、前述同様、データサーバＤＳ内に、印刷画像（データ）ＧＳ６等の元になる基礎画像（データ）Ｇ６０等を記憶しておき、非印刷領域のいずれか（例えばＮＡ３等）を選択するとともに、それに基づいて基礎画像（データ）Ｇ６０等をマスクして、変形画像データを作成し、それを印刷画像データとしてテープ印刷装置１に供給し、テープ印刷装置１では、その印刷画像データに基づく印刷画像を印刷できるので、各種のテープＴ（すなわち特有の非印刷領域を有する特殊テープＴｓも含む）に対して、各種の非印刷領域ＮＡ０〜ＮＡ３等を設定して、それぞれの非印刷領域ＮＡ３等に適合した印刷画像ＧＳ６等の印刷ができる。
【０１１７】
また、この場合も、データサーバＤＳにおいて、比較的大きな表示画面を確保できるので、選択された非印刷領域ＮＡ３等とテープＴの外形のイメージを表示画面に表示し、その表示画面のテープ外形内で印刷画像の元になる基礎画像を編集できるので、テープＴの種類と適用（設定）する非印刷領域ＮＡ３等を意識しながら、印刷画像ＧＳ６等の元になる基礎画像Ｇ０６等を容易に作成できる。
【０１１８】
なお、この場合の表示画面に表示するテープＴの種類は、テープ印刷装置１において装着されたテープＴの種別を検出または設定して報告された種類でも良いし、データサーバＤＳ側で任意に設定した種類でも良い。もちろん、これらの間で一致を検出するようにしても良い。
【０１１９】
また、さらにこの場合も、比較的大きな表示画面を利用して、直接、印刷画像（データ）の編集をできるようにしても良い。すなわち、テープ印刷装置１において、テープＴの種別を検出または設定して報告し、あるいはデータサーバＤＳ側で任意に設定し、データサーバＤＳにおいて、相互に異なる複数種類の非印刷領域（ＮＡ０〜ＮＡ３等）を示す非印刷領域情報を記憶しておき、非印刷領域のいずれか（例えばＮＡ３等）を選択し、テープＴの外形および非印刷領域ＮＡ３等のイメージを表示画面に表示し、その表示画面のテープＴの外形内で且つ印刷領域（非印刷領域を除く領域）ＥＳ３等内に収まるように、すなわちテープＴの種類と適用する非印刷領域ＮＡ３等を意識してはみ出さないように、基礎画像を編集でき、印刷画像（データ）ＧＳ７等としてテープ印刷装置１に供給して、印刷できる。
【０１２０】
なお、この場合も、表示するテープＴの種類は、テープ印刷装置１から検出または設定して報告された種類でも良いし、データサーバＤＳ側で任意に設定した種類でも良い。もちろん、これらの間で一致を検出するようにしても良い。また、基礎画像の編集の時点等では、設定した種類と実装した種類が合わなくても、前述と同様に各種処理を仮に進めることができる。
【０１２１】
そして、上述した印刷システムＳＹＳの各種処理方法も、プログラム処理可能な各種印刷システムによって処理されるプログラムとしても適用でき、その種のプログラムを記憶するための上述の各種の記憶媒体等にも適用でき、この種のプログラムを記憶しておいて、あるいは記憶媒体等から読み出して、あるいはネットワークを介してダウンロード等して、実行することにより、セパレートタイプであっても、装着した各種のテープ（特殊テープも含む）や設定した各種の非印刷領域に適合した印刷画像の印刷ができる。もちろん、その他、要旨を逸脱しない範囲で、適宜変更も可能である。
【０１２２】
そこで、以下、スタンドアロンのテープ印刷装置１なのかセパレートタイプの印刷システムＳＹＳなのかに拘わらず適用できる、テープＴの種類と印刷領域と非印刷領域との組み合わせのバリエーションを列記（補足）しておく。
【０１２３】
まず、上述の各例では、テープ幅ＴＷの中心線上に折り線Ｓｃが形成された特殊テープＴｓに適合するような印刷領域や非印刷領域を例示したが（図６〜図７等参照）、ここで、例えば図２１に示すように、リード線やケーブルやその他チューブ状の被貼着物８０に貼るラベルＬＳ８を考える。
【０１２４】
このラベルＬＳ８の作成に使用されるテープＴは、一般的なテープＴと同様に、剥離テープＴａと基材テープＴｂとを積層して成り、基材テープＴｂは、印刷面となる受像層Ｔｃと、その裏面（粘着面）側に設けられた粘着層Ｔｄとで構成されるが、この基材テープＴｂ（＝Ｔｃ＋Ｔｄ）は、透光性（透明または半透明）を有し、剥離テープＴａは非透光性（基材テープＴｂの色の確認を容易にするため、理想的には白色）を有している。
【０１２５】
この場合、図２１および図２２（ａ）（ｂ）に示すように（図示二点鎖線は仮想線）、印刷領域ＥＳ８を基点として端縁部から被貼着物８０に周回するように貼着した際（図２１（ｂ）参照）、非印刷領域ＮＡ８が印刷領域ＥＳ８にオーバーレイするように（図２１（ｃ）参照）、印刷領域ＥＳ８と非印刷領域ＮＡ８とを設定する。
【０１２６】
ここで、ラベルＬＳ８を、テープＴの幅方向に形成するか（図２２（ａ）参照：（上端）有効印刷長さ（有効印刷幅）ＥＵ、（下端）非印刷長さ（非印刷幅、余白幅）ＤＬ）、テープＴの長手方向に形成するか（図２２（ｃ）参照：（前端）有効印刷長さＥＦ、（後端）非印刷長さ（余白長さ）ＮＲ）、等については、印刷する内容（キャラクタ列の長さや行数）や、装着されたテープＴのテープ幅Ｔｗや、定長設定時のラベル長さＬＷ等に合わせて、適宜決定すれば良く、任意に設定できるようにしても良いし、予め定めてテーブル等として記憶しておいて、検出結果や設定結果に基づいて参照しても良い。
【０１２７】
例えば、上述の印刷領域ＥＳ８と非印刷領域ＮＡ８（あるいはこれらから成るマスク画像（データ）ＭＳ８）を定めたテープＴを、特殊テープＴｓの一種（Ｔｓ３）として用意する場合、装着されたテープＴが特殊テープＴｓ３であることを検出し、あるいは特殊テープＴｓ３であることをマニュアルで設定し、その検出結果や設定結果に基づいて、マスク画像ＭＳ８等として、上述の印刷領域ＥＳ８や非印刷領域ＮＡ８が設定される。
【０１２８】
なお、この場合、印刷領域ＥＳ８に相当する部分にのみ印刷の背景色となる地色を有するなど、他の一般的なテープＴにない特徴を有するテープＴ（本当の意味で特殊テープ）を、特殊テープＴｓ３として用意しても良いし、地色が透明色の（一般的な）テープＴを流用して、それを特殊テープＴｓ３として一般のテープＴと区別して用意しても良い。また、このため、特殊テープＴｓの一種として用意することなく、一般的な（任意の）テープＴに対して上述のマスク画像ＭＳ８（印刷領域ＥＳ８＋非印刷領域ＮＡ８）を適用できる仕様にしておいて、透明のテープＴに対して適用することで、同様のことを行うこともできる。
【０１２９】
次に、例えば図２３（ａ）に示すように（図示二点鎖線は仮想線）、同一テープＴ上に点字の形成と対応する文字の印刷が可能なテープ印刷装置１または印刷システムＳＹＳにより、「しまうま」の点字が形成され「しまうま」の文字が印刷されたラベルＬＳ９を作成する場合を考える。この場合、同図（ｂ）に示すように、点字領域を非印刷領域ＮＡ９とし、他を印刷領域ＥＳ９として設定する。
【０１３０】
例えば、マスク画像（データ）ＭＳ９（上述の印刷領域ＥＳ９＋非印刷領域ＮＡ９）を定めたテープＴを、特殊テープＴｓの一種（Ｔｓ４）として用意する場合、特殊テープＴｓ４を検出し、あるいはマニュアルで設定し、その検出結果や設定結果に基づいて、マスク画像ＭＳ９等として、上述の印刷領域ＥＳ９や非印刷領域ＮＡ９が設定される。この場合、点字を形成可能な任意のテープＴを特殊テープＴｓ４として定めることができる。
【０１３１】
また、この場合、特殊テープＴｓの一種として用意することなく、点字形成と印刷が可能な任意のテープＴに対して上述のマスク画像ＭＳ９（印刷領域ＥＳ８＋非印刷領域ＮＡ８）を適用できる仕様にしておいて、同様のことを行うこともできる。
【０１３２】
なお、上述のマスク画像ＭＳ８（印刷領域ＥＳ８＋非印刷領域ＮＡ８）やマスク画像ＭＳ９（印刷領域ＥＳ９＋非印刷領域ＮＡ９）などを適用する場合においても、各領域等を認識可能な（比較的大きな）サイズの表示画面を確保できる場合、すなわちそのような表示画面を備えたテープ印刷装置１、あるいは印刷システムＳＹＳでは、イメージ画面上で基礎画像（データ）の編集をできるようにしても良い。これらの場合、全体のイメージを視覚的に把握できるので編集等が容易になる。また、この場合、例えば印刷を所望する画像の全部または一部を非印刷領域ＮＡ８等に割り付けようとしたときに、警告（エラー表示）等を発するようにしたり、その後の操作案内をするなど、編集操作その他の利便性の向上を図ることもできる。
【０１３３】
そして、もちろん、上述した各種処理方法も、プログラム処理可能な各種のテープ印刷装置１や印刷システムＳＹＳによって処理されるプログラムとして適用でき、その種のプログラムを記憶するための各種の記憶媒体にも適用でき、この種のプログラムを記憶しておいて、あるいは記憶媒体等から読み出して、実行することにより、装着した各種のテープ（特殊テープも含む）や設定した各種の非印刷領域に適合した印刷画像の印刷ができる。もちろん、その他、要旨を逸脱しない範囲で、適宜変更も可能である。
【産業上の利用可能性】
【０１３４】
上述のように、本発明のテープ印刷装置、印刷方法および記憶媒体によれば、特有の非印刷領域を有するテープに対して、その非印刷領域に適合した印刷画像の印刷が可能になる、などの効果がある。
【符号の説明】
【０１３５】
１  テープ印刷装置、２  装置ケース、３  キーボード、４  ディスプレイ、  ７  印刷ヘッド、１１  操作部、１２  印刷部、１３  切断部、１４  検出部、１５  駆動部、２０  制御部、Ｃ  テープカートリッジ、ＤＳ  データサーバ、Ｄ〜  表示画面の例、ＥＳ〜  印刷領域、Ｇ〜  印刷画像の例、ＩＦ  インタフェース、Ｋ  カーソル、Ｌ〜  ラベルの例、ＮＡ〜  非印刷領域、ＮＷ  ネットワーク、ＰＣ〜  パソコン、Ｒ  インクリボン、Ｓｃ  折り線、ＳＹＳ  印刷システム、Ｔ  テープ、ＴＡ  ターミナルアダプタ、ＷＳ〜  ワークステーション
【図１】
2010221714.tif 000003
【図２】
2010221714.tif 000004
【図３】
2010221714.tif 000005
【図４】
2010221714.tif 000006
【図５】
2010221714.tif 000007
【図６】
2010221714.tif 000008
【図７】
2010221714.tif 000009
【図８】
2010221714.tif 000010
【図９】
2010221714.tif 000011
【図１０】
2010221714.tif 000012
【図１１】
2010221714.tif 000013
【図１２】
2010221714.tif 000014
【図１３】
2010221714.tif 000015
【図１４】
2010221714.tif 000016
【図１５】
2010221714.tif 000017
【図１６】
2010221714.tif 000018
【図１７】
2010221714.tif 000019
【図１８】
2010221714.tif 000020
【図１９】
2010221714.tif 000021
【図２０】
2010221714.tif 000022
【図２１】
2010221714.tif 000023
【図２２】
2010221714.tif 000024
【図２３】
2010221714.tif 000025